(57)【要約】      （修正有）【課題】  夏期における室内の高温化による住人の不快感の増大、クーラーや扇風機使用の電気代や維持費も増大するという問題があり、涼しくなる人工植物を形成し、癒やし効果を損なうことなく室内の温度を下げる。【解決手段】  鉢の外側面部に採光板（葉の一部を採光板とするものも含む。）を取り付け、鉢内部に太陽電池装置を設けて電力源とし、その電力によって、葉となる部分の中央に配置したペルチェ素子のペルチェ効果による吸熱反応を促進するために、まず吸熱側ではアルミ板を上記素子に接合させて吸熱反応を促進させ、発熱側では上記素子にアルミ板を接合して放熱効果を高め、さらにセラミック接合して遠赤外線の放熱効果を加えて、それらを一枚の葉となるように耐熱性樹脂で夾むようにすることで、涼しくなる人工植物が形成される。これによって、癒やし効果を損なうことなく室内の温度を下げることができ、住人の不快感や経済負担を低減する。【選択図】  図１
2005344270.tif 000002
【特許請求の範囲】
【請求項１】
鉢の外側面部に取り付けた採光版（葉の一部を採光版とするものも含む。）に繋がるように配置した鉢内部の太陽電池装置を電力源とし、その電力によって、葉となる部分の中央に配置したペルチェ素子のペルチェ効果による吸熱を促進するために、吸熱側ではアルミ板を上記素子に重ねて吸熱反応を促進させ、発熱側では上記素子に重ねたセラミック板の遠赤外線の放熱効果による冷却をさらに高めるようにアルミ板を上記セラミック板に重ねて、さらにそれらを耐熱性樹脂で夾むようにして一体的になるように形成した人工の葉によって、空気を冷やすようにした人工植物（観葉植物及び花。以下同じ）。
【請求項２】
ペルチェ素子による冷却効果を人工植物に用いたことを特徴とする請求項１記載の人工植物。
【請求項３】
ペルチェ素子による冷却効果に必要な電力源を、太陽発電（電池を含む。）によって賄おうとすることを特徴とする請求項１又は２記載の人工植物。
【発明の詳細な説明】
【技術分野】
【０００１】  本発明は、ペルチェ効果によって室内の気温を下げることを図った涼しくなる人工植物に関する。
【背景技術】
【０００２】  従来の人工植物には、葉の部分に酸化チタンなどの物質を塗布して、光触媒によって室内のクリーン化を図ったものがある。【０００３】  また、人工植物は主に観葉植物や観賞用花として利用されており、その構造においては、ビニル、ナイロンなどの石油加工品によって葉、茎及び花弁などが形成されている。
【発明の開示】
【発明が解決しようとする課題】
【０００４】  従来の人工植物には、光触媒の利用による室内のクリーン化を図ったものや観賞用のものばかりであり、夏期における室内の高温対策としての気温を下げるためのものは全くないために、住人の不快感が増大し、人工植物の癒やし効果が低減又は消滅していた。【０００５】  また、その高温対策にはクーラーや扇風機しかないため、電気代や維持費にかかる経済負担も大きくなっていた。【０００６】  本発明は、このような従来の人工植物が持っていなかった夏期における室内の高温対策を解決しようとするものであり、従来から観賞用として住人の不快感を癒やしてきた人工植物の機能に冷却効果を付加することで癒やし効果をより充実させて、室内の居住環境の改善による住人の不快感による精神的かつ肉体的苦痛を和らげることを目的とするものである。
【課題を解決するための手段】
【０００７】  本発明は、上記目的を達成するために、鉢の外側面部に採光版（葉の一部を採光版とするものも含む。）を取り付け、鉢内部に太陽電池装置を設けて電力源とし、その電力によって、葉となる部分の中央に配置したペルチェ素子のペルチェ効果による吸熱を促進するために、吸熱側ではアルミ板を上記素子に接合させて吸熱反応を促進させ、発熱側では上記素子に接合させたセラミック板の遠赤外線の放熱効果による冷却をさらに高めるようにアルミ板を上記セラミック板に接合させて、さらにそれらを耐熱性樹脂で夾むように形成した人工の葉によって、空気を冷やすようにしたものである。【０００８】  上記の課題解決手段による作用は次の通りである。すなわち、ペルチェ素子の特徴である急熱反応と発熱反応が同じ素子の両端で起きるという現象を人工植物に利用するものであり、観賞用植物としての人工の葉の部分において、ペルチェ素子を葉の中央に配置して、急熱反応がでる面（仮に葉表とする。）には、それを促進するためのアルミ板を重ね合わせて放熱効果を高めるとともに、発熱反応がでる面（仮に葉裏とする。）には、発熱を遠赤外線を用いて冷却するためのセラミック（シリカ・アルミナ又はブラックシリカ）とアルミ板による放熱効果を高めるように重ね合わせて配置する。このとき葉表の冷却効果を超えない範囲での発熱となるように、電力源となる太陽電池の電圧を調整することで、室内の気温を下げることができる。
【発明の効果】
【０００９】  上述したように、本発明の涼しくなる人工植物は、室内の高温を下げる冷却効果によってより快適な居住環境化が図られるとともに、冷却効果の付加によって観賞用としての人工植物による住人への癒やし効果を更に高めることができ、より一層の居住環境の改善が図られる人工植物が提供できる。【００１０】  以下、本発明の実施の形態を図１から図２に基づいて説明する。【００１１】  図において、涼しくなる人工植物１は、葉の部分２と幹部分となる幹体８、及び鉢部分となる鉢体５によって形成される。【００１２】  まず、鉢体５の外側面部に取り付けた採光版６で太陽光を取り入れ、それによって鉢体５の中に配置した太陽電池装置７に電力が蓄えられることとなる。【００１３】  その電力が幹体８を通り、葉２の中央部分に配置したペルチェ素子９につながって、ペルチェ効果によって葉２の上面３では冷却反応が現出し、葉２の下面４では発熱反応が現出することとなる。【００１４】  その際、葉２の上面３の吸熱反応を促進するために、ペルチェ素子９の吸熱面にアルミ板１０（結露防止のためにシーリング加工したもの）を接合させて熱の伝導を良くする。【００１５】  また、葉２の下面４の発熱反応においては、その熱を放熱することによって下げるために、ペルチェ素子９の発熱面にアルミ板１０を接合させ、さらに遠赤外線による放熱冷却効果を活用するために、アルミ板１０の上にセラミック板１２（アルミナ・シリカ又はブラックシリカで形成されたもの）を接合させる。【００１６】  さらに、ペルチェ素子９の吸熱面と発熱面の両面に設けたアルミ板１０と、発熱面に設けたセラミック板１２で構成されたものを、さらに耐熱性樹脂１１によって一枚の葉２となるように形成する。【００１７】  ペルチェ素子９には、鉢体５の中に配置した太陽電池装置７の電気が幹体８及び枝体１３の中に設けられた電気コード１４を通って伝えられることとなる。
【図面の簡単な説明】
【００１８】
【図１】本発明の実施形態を示す涼しくなる人工植物の立面図
【図２】同人工植物の図１におけるＡ−Ａ線断面図
【符号の説明】
【００１９】  １  涼しくなる人工植物
２  葉
３  （葉の）上面
４  （葉の）下面
５  鉢体
６  採光板
７  太陽電池装置
８  幹体
９  ペルチェ素子
１０  アルミ板
１１  耐熱性樹脂
１２  セラミック板
１３  枝体
１４  電源コード
【図１】
2005344270.tif 000003
【図２】
2005344270.tif 000004